(57)【要約】【課題】ワイヤロープを任意の形式の機能部に着脱可能に取り付けるための差込端を提供する。【解決手段】この適合する端部は、ソケット端に一体化された、または取り付けられる任意の形式の機能部に、ワイヤロープを着脱可能に固定するように形成された差込端である。この差込端は外部シェルによって形成され、そのシェルは全体的に円筒形状であり、少なくとも１つの羽部を含んでいる。差込端はワイヤロープを適合するために形成された軸方向ハウジングを含んでいる。シェルは少なくとも１つの貫通開口部を備え、前記ワイヤロープを貫通するピンまたはロープファスナーのような、前記ワイヤロープの取付手段を収容する。差込端は差込口のような前記ソケット端と協働するように形成されている。【選択図】図１ａ
2008089180.tif 000002
【特許請求の範囲】
【請求項１】
ソケット端（４５１）に一体化された、または取り付けられたあらゆる形式の機能部（４５０，５５０）にワイヤロープを着脱可能に的に固定するために形成された差込端（１００；２００；３００；４００）において、
該差込端（１００；２００；３００；４００）は、
・  全体的に円筒形に形成された外部シェル（１０１；２０１；３０１）を含み、
・  該シェルは少なくとも１つの羽部（１１１，１１２；２１１−２１４；３１１，３１２）を含み、
・  前記シェルはワイヤロープを収容するように形成された軸方向ハウジング（１０２；２０２；３０２）を含み、
・  前記シェル（１０１；２０１；３０１）は、前記ワイヤロープを貫通する、ピン（４７０）またはロープファスナー（１１６）のような前記ワイヤロープを取り付ける手段（１１６;４７０）を収容することができる、少なくとも１つの貫通開口部（１１７，１１８；３１７）を備え、
・  前記差込端（１００；２００；３００；４００）は、差込口のような前記ソケット端（４５１）と協働するように形成されていることを特徴とする差込端。
【請求項２】
前記差込端を形成している前記外部シェル（１０１；２０１；３０１）は、該外部シェル（１０１；２０１；３０１）の回転軸に関して径方向に対向した２つまたは４つの前記開口部（１１７，１１８；３１７）備えていることを特徴とする、請求項１に記載の差込端。
【請求項３】
前記軸方向ハウジング（１０２；２０２；３０２）は両端において開口していることを特徴とする、請求項１または２に記載の差込端。
【請求項４】
前記外部シェルは（１０１；３０１）該シェルの回転軸に関して径方向に対向した２つの対称な羽部（１１１，１１２；３１１，３１２）を含んでいることを特徴とする、請求項１〜３のいずれか一項に記載の差込端。
【請求項５】
前記外部シェル（２０１）は、該シェルの回転軸に関して径方向に２つずつ対向している４つの対称な羽部（２１１−２１４）を含んでいることを特徴とする、請求項１〜３のいずれか一項に記載の差込端。
【請求項６】
前記羽部（１１１，１１２；２１１−２１４；３１１，３１２）は、前記シェル（１０１；２０１；３０１）に関して同心の長方形断面形状を備えたクラウンセグメントから成っていることを特徴とする、請求項４または５に記載の差込端。
【請求項７】
前記開口部（１１７，１１８；３１７）は前記羽部（１１１，１１２；３１１，３１２）を貫通して機械加工されていることを特徴とする、請求項４〜６のいずれか一項に記載の差込端。
【請求項８】
前記外部シェル（１０１；２０１）はそれぞれの前記開口部（１１７，１１８）の位置において凹部（１１５；２１５）を形成し、該凹部（１１５；２１５）は取付手段（１１６；３７０）の先端を収容するために形成されていることを特徴とする、請求項１〜７のいずれか一項に記載の差込端。
【請求項９】
前記差込端の一方の端部は、前記機能部（４５０，５５０）と協働するように形成された肩部（１２０；２２０；３２０）を備えていることを特徴とする、請求項１〜８のいずれか一項に記載の差込端。
【請求項１０】
一方の前記差込端（３２１）の端部は部分的に伸びて、前記ソケット端の底部または軸方向の限界停止部（５８３）と協働するようにデザインされた突出部（３２２）を形成しており、前記ソケット端と協働することを特徴とする、請求項１〜９のいずれか一項に記載の差込端。
【請求項１１】
前記外部（３０１）シェルは、対象となる端部（３２１）の近傍において、前記差込端にこの領域でかなり大きな弾性を与えることができる切欠き部（３２３）を備え、特に対応するソケット端と共に協働している間、前記差込端をわずかに曲げることができることを特徴とする、請求項１０に記載の差込端。
【請求項１２】
前記ワイヤロープは、上述の１〜１１の請求項に記載の差込端（１００；２００；３００；４００）によって前記機能部（４５０；５５０）に取り付けられ、
前記差込端は前記機能部（４５０；５５０）に一体化された、または取り付けられた前記ソケット端（４５１）と協働するように形成され、
前記ソケット端（４５１）は前記差込端（１００；２００；３００；４００）の形状に適合する形状を備えたハウジングを有し、差込口のように、着脱可能に前記ソケット端（４５１）と協働することを特徴とする、弾性的または非弾性的なワイヤロープに着脱可能に取り付けられるために形成された機能部（４５０；５５０）を含んだファスナーアセンブリ。
【請求項１３】
前記ソケット端（４５１）は、該ソケット端のそれぞれの羽部（１１１，１１２；２１１−２１４；３１１，３１２）に関して、該羽部（１１１，１１２；２１１−２１４；３１１，３１２）が適合するための形状に適応している形状を備えたハウジングを有し、該ハウジングは、ワイヤロープに係る引張応力の減衰が可能な、特に軸方向おける保持面を含んでいることを特徴とする、請求項１２に記載のファスナーアセンブリ。
【請求項１４】
前記ソケット端（４５１）は、該ソケット端（４５１）の下部に２つの軸方向溝（４６０，４６１）を含み、回転することによって係止状態になる前に前記羽部が初期において前記ソケット端の中に並進して挿入される場合に、前記溝が前記差込端の羽部を収容するために形成されていることを特徴とする、請求項１２または１３に記載のファスナーアセンブリ。
【請求項１５】
前記ソケット端は前記差込端と協働し、前記ソケット端からの前記差込端の不都合な離脱を防止することが可能なように形成された非復元手段を含んでいることを特徴とする、請求項１２〜１４のいずれか一項に記載のファスナーアセンブリ。
【請求項１６】
前記非復元手段は、貫通した、または貫通していない２つの穴（５８０）を含み、且つ前記差込ユニット（３００）の羽部（３１１，３１２）と協働するように形成されており、前記穴（５８０）は、その基端部の位置において、前記羽部に安定して適合するための領域を形成し、前記溝（４６０，４６１）の範囲で前記ソケット端の中に伸びている不連続部（５８１）を備えていることを特徴とする、請求項１５に記載のファスナーアセンブリ。
【請求項１７】
前記ソケット端（４５１）は、前記羽部のために提供されたハウジング内に前記差込端（４００）をはじくために形成されたスパイク（４７１）が設けられた軸方向の限界停止面を備え、それによって、前記差込端（４００）自身が前記ソケット端と協働するために回転するときに、前記ワイヤロープのわずかな圧縮の原因となり、前記差込端が前記羽部のために提供されたハウジング内に位置したときに、前記圧縮は停止され、それによって非復元機能を実現させていることを特徴とする、請求項１２〜１６のいずれか一項に記載のファスナーアセンブリ。
【請求項１８】
前記機能部は、フック、弾性受け部を備えたフック、つまみ、スプリングフックまたはスクリュープレートを含む一群から選択されることを特徴とする、請求項１２〜１７のいずれか一項に記載のファスナーアセンブリ。
【発明の詳細な説明】
【技術分野】
【０００１】
本発明は、第１にワイヤロープをソケット端に装備された機能部に着脱可能に取り付ける差込端に関し、第２にそのような差込端とソケット端とから成るアセンブリに関する。
【０００２】
本発明の目的に含まれる“機能部”との用語は、任意の形式の部品として解釈され、その部品は、ワイヤロープと共に協働することを要求する１つ以上の特殊な機能を実現する。従って、本発明は任意の特別な用途の領域に限定されるのではなく、見方を変えれば、適合“自在”な手段として採用されることが可能である。
【背景技術】
【０００３】
フックまたはスプリングフックのような機能部であって、弾性的または塑性的なワイヤロープをその機能部の一端に取り付ける手段を含んだものは、先行技術から知られている。引張強さの要求によっては、取付手段はワイヤロープを締め付けるためのナットであってもよく、ワイヤロープが締め付けられたときに、そのワイヤロープを変形させる。また、その手段は、摩擦によって保持するためにワイヤロープに“喰いつく”歯を備えた構成要素であっても良い。
【０００４】
そのような取付手段が機能部と一体化されるために、別の機能部にワイヤロープを取り付けるためにワイヤロープを外すことが望まれたとき、ワイヤロープが主体とされた摩擦力から開放され、その後新しい機能部に挿入され、最終的にワイヤロープに新しい固定手段を締め付ける必要がある。
【発明の開示】
【発明が解決しようとする課題】
【０００５】
しかしながら、第１の欠点は、摩擦力の発生によってワイヤロープがそれぞれの固定のたびに部分的に損傷し、ワイヤロープの取り付け部が持ちこたえられる引張力は徐々に小さくなり、このことが危険な状態になるまで、またはワイヤロープを交換する必要が出てくるまで小さくなるということである。
【０００６】
さらに、全ての機能部が同一のワイヤロープの取付手段を含んでいるわけではなく、ワイヤロープの中にはある種の機能部と協働できないものもある。従って、異なった径または異なった材質でできたいくつかの異なったワイヤロープを所持することが、時々必要となるかもしれず、それぞれのワイヤロープは特殊な機能部と協働するために特殊である必用があるかもしれない。機能部を使用するための広範囲のワイヤロープを購入することは、非常に高価なこととなる。
【０００７】
加えて、要求されるワイヤロープの数は機能部の数と同じである。実際のところ、多くの場合において、ワイヤロープが損傷することなく機能部を交換することは不可能である。
【０００８】
従って、本発明の目的は、ワイヤロープの取付手段に関するものであり、機能部と一体化されておらず、特殊なワイヤロープに対して専用のものではない。
【課題を解決するための手段】
【０００９】
従って、本発明の目的は、一般的なまたは“自在な”差込端とファスナーアセンブリとに関し、それらはいくつものフックまたはフック形式のものに、１つのワイヤロープを次々と取り付けることができ、一般的に言うと、任意の形式の機能部に、異なった機能を実現させることを可能にしている。
【００１０】
本発明は、ワイヤロープを任意の形式の機能部に着脱可能に取り付けるための差込端に関し、その機能部はソケット端と一体化され、またはソケット端に取り付けられている。
【００１１】
本発明によると、差込端の外部シェルは全体的に円筒形であり、前記シェルに関して突出した、少なくとも１つの羽部を含んでいる。
【００１２】
さらに、前記シェルはワイヤロープを収容するように形成された軸方向ハウジングを含み、その外部シェルは、前記ワイヤロープを貫通するピンまたはロープファスナーのような前記ワイヤロープを取り付ける手段を収容することができる、少なくとも１つの貫通開口部を備えている。この差込端は、差込口のような前記ソケット端と協働するように形成されている
【００１３】
言い換えると、本発明の目的とする差込端はスリーブ状であり、その内部にワイヤロープが取り付けられ、それはワイヤロープをピンが貫通することまたは他の任意の同様のシステムによって実現され、その一方で差込端を形成している外壁は、差込口のような前記ソケット端内に前記差込端を固定することを可能にした、少なくとも１つの突起を含んでいる。“全体的に”との語は、ここでは差込端の主ボディを参照しており、その１つまたは複数の羽部を除外している。“差込口”との語は回転可能なものという意味を示し、すべり継ぎ手、羽部によって制限されたまたは滑る移動体のようなものである。
【００１４】
実際のところは、差込端を形成しているシェルまたは壁は、２つまたは４つの開口部を備えていてもよく、それらの開口部は、前記シェルの回転軸に関して径方向に２つずつ対向している。
【００１５】
代替的な実施形態は、ロープファスナーを用いてワイヤロープを取り付けることを含んでおり、従って、１つよりはむしろ２つの固定ピンを備えている。
【００１６】
１つの実施形態において、ワイヤロープが適合するために形成された軸方向ハウジングは、両端において開口していてもよい。このことは、ワイヤロープを差込端内に容易に配置することを可能にしている。
【００１７】
第１の実施形態によると、外部シェルは、該シェルの回転軸に関して径方向に対向している２つの対称な羽部を含んでいてもよい。
【００１８】
第２の実施形態によると、外部シェルは、該シェルの回転軸に関して径方向に２つずつ対向している４つの対称な羽部を含んでいてもよい。
【００１９】
言い換えると、羽部は差込端の外部シェルに対して突起を形成している。これらの突起は、このシェルの接線方向部に限定されている。従って、差込端をソケット端に内に軸方向に挿入し、その後ソケット端内で差込端自身をひねるまたは回転させて、ソケット端内に設けられた限界停止面に一致する部分と羽部を並べることを可能にしている。
【００２０】
実際のところ、羽部は前記シェルと同心の長方形断面を備えた、クラウンセグメント（crown segments）によって形成されている。
【００２１】
“長方形”との語はここでは文字通りに構成されていなければいけないわけではなく、使用者に怪我をさせる事を回避するために、面取りが施される可能性を除外しないためである。この態様は生産において比較的安価な羽部の形状を決定する。
【００２２】
本発明の１つの実施形態によると、開口部は前記羽部を貫通して機械加工されていてもよい。開口部のこの位置は、取付手段（ピンまたはファスナー）をより太い部分に挿入することを可能にし、それによって、アセンブリを機械的に強化している。
【００２３】
実際のところ、シェルはそれぞれの前記開口部の高さにおいて凹部を形成し、この凹部は取付手段の先端を収容するために形成されている。
【００２４】
この形状は、差込端のシェル上に突出している部分を制限することが可能である。
【００２５】
本発明の別の態様によると、差込端の一方の端部は、前記機能部と協働するために形成された径方向の肩部を備えている。そのような肩部は、ソケット端の端部に対向して押すために形成された、一般的に言うと、協働するための機能部である。
【００２６】
本発明のさらに別の態様によると、１つの前記差込端の端部は部分的に伸びて、前記ソケット端の底部と協働するようにデザインされた突出部を形成しており、前記ソケット端と協働する。同時に前記差込端のシェルは、対象となる端部の近傍において、前記差込端にこの領域でかなり大きな弾性を与えることができる切欠き部を備え、特に対応するソケット端と共に協働しているとき、前記差込端をわずかに曲げることができる。
【００２７】
また、本発明は弾性的または非弾性的なワイヤロープに着脱可能に取り付けられるように形成された機能部を含んだファスナーアセンブリに関する。前記機能部へのワイヤロープの取り付けは、上述の形式の差込端を用いて行われ、前記差込端は前記機能部に一体化された、または取り付けられた前記ソケット端と協働するように形成され、前記ソケット端は前記差込端の形状に適合する形状を備えたハウジングを有し、着脱可能に差込口のような前記ソケット端と協働する。
【００２８】
本発明の主体とされているファスナーアセンブリは、差込端とソケット端とから成り、それらは容易に組み立て、および分解される。従って、ワイヤロープを、立て続けに且つ素早く異なった機能部に適合させることが可能であり、このことは、アセンブリ自身の“自在性”または包括的特徴に役立っており、結果として高いモジュール性を提供している。
【００２９】
実際のところ、そのソケット端は、それぞれの羽部に関して、該羽部が適合するための形状に適応している形状を備えたハウジングを有し、このハウジングは、ワイヤロープに係る引張応力の減衰が可能な、特に軸方向おける保持面を含んでいる。
【００３０】
言い換えると、ソケット端のハウジングは、差込端を回転することによって係止した後羽部を収容可能に形成された、中空または開口したクラウンセグメントを含んでいる。これらの中空セグメントは、このことによって軸方向の限界停止部として作用し、差込端とワイヤロープとがソケット端および機能部から離脱することを防止している。
【００３１】
本発明の１つの実施形態によると、ソケット端は前記羽部のために提供された、ハウジング内の前記ソケット端をはじくために形成されたスパイクが設けられた軸方向の限界停止面を備えていてもよい。
【００３２】
従って、ソケット端は差込端と協働するように形成された非復元手段を含み、ソケット端から前記差込端が不都合に離脱することを防止することを可能にしている。
【００３３】
差込端が、軸方向の“係止”位置にあるのは、安全な位置において差込端がソケット端に固定されているためであり、その位置はワイヤロープがもはや引っ張られないときにだけ、抜け出すことが可能である。
【００３４】
実際のところ、機能部はフック、弾性受け部を備えたフック、つまみ、スプリングフックまたはスクリュープレートを含む一群から選択される。
【００３５】
従って、本発明の目的とするアセンブリは、自在な態様を備えている。
【００３６】
本発明が実施され、その結果として利点となる形態は、下記の実施形態の記載からより明らかにされるであろう。この例は、添付図のみを参照する例によって与えられる。
【発明を実施するための最良の形態】
【００３７】
図１ａおよび１ｂは、本発明の主体である差込端１００の第１の実施形態を示している。差込端１００は、全体的に円筒形で、且つこの差込端１００の主ボディを形成している外部シェル１０１を含んでいる。このシェル１０１は肩部１２０で終端となり、その肩部１２０は、差込端が所定の位置において、ソケット端に適合して一体化し、または機能部に取り付けられる場合に、軸方向の終端として使用される。肩部１２０の外観のプロファイルは、差込端１００のグリップおよび美観のための制約と、様々な部品の容量の接続に関連した制約とに依存して決定される。
【００３８】
差込端１００は軸ハウジング１０２を含み、その軸ハウジング１０２は、差込端１００の両端部において開口している。それにもかかわらず、且つ要求に応じて、軸ハウジング１０２は一端において閉じられることも可能である。軸ハウジング１０２は、差込端１００に取り付けられることを目的とした、ワイヤロープ（図示略）を収容するように設計されている。
【００３９】
ハウジング１０２の内部に、このワイヤロープの取付部を獲得するために、シェル１０１は４つの開口部１１７，１１８などを備えており、それらの開口部はシェル１０１の回転軸に相対的に正反対に対向している。従って、４つの開口部は、図１ｂに見られるように、互いに２つずつ対向している。開口部１１７と１１８とは、従って、シェルの壁において、空けられた２つの開口部が回転軸に対向して面している。このように、開口部１１７と１１８とを通してロープファスナー１１６を挿入し、対向する２つの開口部の外側でこのロープファスナー１１６を再度閉じることが可能である。従って、ロープファスナー１１６はワイヤロープを差込端１００内に取り付けることを可能にしており、ゆえにワイヤロープに引張応力がかかった場合に、結束作用を維持している。
【００４０】
本発明の１つの有利な態様によると、凹部１１５はそれぞれの羽部１１１および１１２内に形成され、ロープファスナー１１６の先端と基端とに適合する。従って、羽部１１１および１１２よりも突出している突起は１つも無く、このことはソケット端と適合する差込端１００との連携を容易にし、潜在的に怪我の原因となり得るあらゆる突出部を排除している。凹部１１５はここでは溝から構成され、その溝は、それぞれの羽部１１１および１１２の中間において、フライス加工またはモールド成型することによって形成されている。
【００４１】
図に示されている例において、差込端１００はプラスチック部品であるが、金属製とすることも可能である。差込端１００は機械加工、またはモールド成型して再度機械加工することによって得られる。差込端１００の寸法、特に外部シェルを形成している壁の厚さは、機械的応力によって決定され、その応力はワイヤロープの引っ張りを介して、差込端１００にかけられる。従って、寸法は目的とする用途に適合するように合わせられる。
【００４２】
図２は図１の変化によって得られた差込端２００を示している。同等の要素には同じ参照符号に１００を加算した数を付している。
【００４３】
従って、差込端２００は、全体的に円筒形の外部シェル２０１と、両端において開口している軸ハウジング２０２とを備えている。“円筒形”という語は、ここでは直線状の円筒形を意味している。同様に、差込端２００は、差込端１００の肩部１２０と同様の肩部２２０を備えている。
【００４４】
対照的に、差込端２００は、横断面が長方形状のクラウンセグメント形状の、２つではなく４つの羽部２１１〜２１４を備えている。
【００４５】
本発明によるこれらの４つの羽部は、シェル２０１の回転軸に関して径方向に２つずつ対向している。実際のところ、羽部の数の増加は、ソケット端において差込端２００の保持力を改良することを可能にしている。
【００４６】
同様に、ここの貫通開口部は羽部２１１〜２１４内に機械加工されているのではなく、外部シェル２０１に加工されている。それらの開口部は凹部または平坦部の位置に形成され、ワイヤロープを差込端２００に取り付ける手段の突出部を収容するようになっている。
【００４７】
図３は、前出の２つの差込端と同様の差込端３００を示している。この差込端も全体的に円筒形の外部シェル３０１を備えている。記載された例において、前記差込端は、前述のように形成された２つの羽部３１１を備え、ソケットユニット内に形成された一致する凹部またはハウシングと協働する。これらの羽部３１１は、開口部３１７も供えており、この位置においてワイヤロープを固定するためのロープファスナーが貫通するように形成されている。この差込端は、差込端１００の肩部１２０と同様の肩部３２０を備えている。
【００４８】
この実施形態において、肩部３２０と反対側にある差込端の端部３２１は、該端部と隣接している平面に対して突出した突起３２２を含んでいる。この突起３２２は、この場合、クラウンセグメント形状である。その突起３２２は、差込端が協働するように形成されたソケット端の底部と協働するように形成され、図６ａ〜６ｃにおいて、より正確に記載されている。
【００４９】
加えて、前記差込端のシェル３０１は、対象となる端部３２１の近傍において、周囲の部位を越えて伸びた切欠き部３２３を備えている。この切欠き部３２３は、実際には前記差込端が比較的高剛性なプラスチック材料（ポリオキシメチレンまたはポリアミド）で製作されているにもかかわらず、差込端にこの領域においてかなり大きな弾性を与えるために形成されている。
【００５０】
この切欠き部３２３のために、突起または突出部３２２が対応するソケット端の底部と協働するときに、差込端３００はわずかに曲がることが可能であり、特に、以下に今まで以上に詳細に記載されているが、ソケットユニット内の差込ユニットの強制的な着脱可能な係止を可能にしている。
【００５１】
図４ａおよび図４ｂは差込端４００と機能部とからなる、本発明によるアセンブリを示しており、この場合、ソケット端４５１と合体したフック４５０は、差込端４００の形状と形状的に適合している。差込端４００は、図１または２に示されている実施形態の一方または他方に一致している。ここでは固定位置における状態が示されている。すなわち、ソケット端４５１内に完全に挿入され、所定の位置において回転され、その位置では羽部は、ソケット端４５１の中空ハウジングにぴったりと一致しており、あらゆる引っ張り応力に対抗する軸方向の限界停止部を形成している。
【００５２】
図４ｃはつめまたはピンで構成されている取付手段を示しており、それは図４ｄにも示されている。
【００５３】
このほかに、断面図４ｄは２つの軸方向溝４６０と４６１とを示しており、それらの溝は差込端４００の羽部を収容するためにソケット端の下部に形成されており、回転することによって係止段階になる前に、羽部は最初に並進して挿入される。明らかに、それぞれの溝４６０と４６１との寸法は、案内のクリアランスを含んで、差込端４００の羽部の寸法に適合している。
【００５４】
従って、図４ｃに見られるように、一度差込端が最終的な係止位置に到達すると、ワイヤロープの引張応力は差込端４００のつめによって伝達され、その後羽部を通してソケット端４５１へ、そして最終的にはフックを構成する機能部４５０へと伝達される。
【００５５】
同様に、ソケット端４５１の軸方向の限界停止部にはスパイク４７１が設けられ、そのスパイク４７１は、差込端が軸方向および径方向の移動の終端に到達したときに、差込端４００を跳ね返すことを可能にしている。従って、ワイヤロープは、差込端４００が回転する肯定において、スパイク４７１によってわずかに圧縮され、差込端４００が羽部のためにこの効果を提供されるハウジング内に後退するとき、ワイヤロープは開放される。このことを達成するために、これらのハウジングは中立位置に対してわずかに軸方向にオフセットしており、差込端はそれ自体が回転する。このことは非復元機能を生み出しており、あらゆる外部からの作用なしに、機能部から差込端が離脱することを防止している。
【００５６】
しかしながら、先行技術による異なったアセンブリは、ソケット端４５１から差込端４００が容易に離脱し、それはワイヤロープを別の機能部に取り付けられた別の適合する差込端に取り付けているからである。
【００５７】
図５は本発明によるソケットユニットの別の実施形態を示しており、より具体的には、図３に記載された差込端３００と協働するように形成されている。
【００５８】
このソケットは、前と同じくフックからなる機能部５５０内に組み込まれている。図４ａ〜４ｄに関してすでに記載しているように、このソケットユニットの形状は、差込端３００の形状に適合している。
【００５９】
より具体的には、前記ソケット端は２つの穴５８０によって開口され、それらの穴は貫通していてもしていなくてもよく、差込端３００の羽部３１１，３１２と協働するように形成されている。これらの穴５８０は、基端部の水準において、段差または不連続部５８１を有しており、その段差は前記羽部に安定して適合するために、領域５８２を形成している。図５には１つの穴のみしか示されていないが、正反対の他の穴は、ソケット端の回転軸に関して、示された穴と対称に位置している。
【００６０】
前記不連続部５８１は、現実にはソケット端の内部で続いており、それは図４ａ〜４ｄに記載されているソケット端の溝４６０,４６１と同様の溝の範囲で連続しており、羽部を備えた差込端を前記ソケット端内に挿入するために、本実施形態においても形成されている。前記不連続部５８１からなる係止を強制するために、一方はソケット端の底部の方向に、前記差込端を押し付ける力をかけなければならず、従って、羽部の基部が前記不連続部を乗り越えることを可能にしている。そのことは、差込端とソケット端が協働するために、前記羽部が安定した受容領域５８２を収容し、そこで維持されるまでである。
【００６１】
言い換えると、限界停止部またはソケット端の底部５８３が、差込端の突起３２２と協働することによる抵抗に対向して一方が乗り越えると、その間は差込端に回転力がかかっているが、前記協働はばね効果を発生し、この安定位置５８２において前記羽部の位置および保持力の要因となる。その結果、不可逆機構を構成し、機能部から差込端が不都合に離脱するあらゆる危険性を回避している。
【００６２】
ソケット端からの差込端の離脱は同じ方式で行われ、差込端が回転される方向のみが逆になる。
【００６３】
図６ａ〜６ｃは、機能部５５０を備えた差込端３００の協働を、より詳細に示した図である。
【００６４】
突起または突出部３２２と、ソケット端の機能部５５０の軸方向の限界停止部または底部５８３との協働が、特に描写されている。
【００６５】
図７ａ〜７ｃは、様々な機能部の例を示しており、弾性受け部を備えたフック（図７ａ）、スクリュープレート（図７ｂ）、および調整可能な適合端部（図７ｃ）である。
【００６６】
本発明の他の実施形態が、本発明の範囲から逸脱することなく実施可能である。
【図面の簡単な説明】
【００６７】
【図１ａ】本発明の第１の実施形態による差込端の概略の斜視図を示している。
【図１ｂ】図１ａの差込端の切断斜視図を示している。
【図２】本発明の第２の実施形態による差込端の概略の斜視図を示している。
【図３】本発明の第３の実施形態による差込端の概略の斜視図を示している。
【図４ａ】本発明によるアセンブリの概略の断面図を示している。
【図４ｂ】本発明によるアセンブリの概略の断面図を示している。
【図４ｃ】図４ａおよび図４ｂに示されたアセンブリの概略の側面図を示している
【図４ｄ】図４ａおよび図４ｃに示されたアセンブリの線Ｄ−Ｄに沿った概略の断面図を示している。
【図５】本発明の別の実施形態によるソケットユニットの概略を示している
【図６ａ】図３に示された差込端ユニットと、側面図および断面図について図６に示されたソケット端ユニットとを利用している構造アセンブリの概略を示した図である。
【図６ｂ】図３に示された差込端ユニットと、側面図および断面図について図６に示されたソケット端ユニットとを利用している構造アセンブリの概略を示した図である。
【図６ｃ】図３に示された差込端ユニットと、側面図および断面図について図６に示されたソケット端ユニットとを利用している構造アセンブリの概略を示した図である。
【図７ａ】本発明の目的に含まれることが可能な様々な機能部を示している。
【図７ｂ】本発明の目的に含まれることが可能な様々な機能部を示している。
【図７ｃ】本発明の目的に含まれることが可能な様々な機能部を示している。
【符号の説明】
【００６８】
１００，２００，３００，４００      差込端
１０１，２０１，３０１      外部シェル
１０２；２０２；３０２      軸方向ハウジング
１１１，１１２      羽部
１１５      凹部
１１６      ロープファスナー
１１７，１１８      貫通開口部
２１１，２１２，２１３，２１４      羽部
４５０，５５０      機能部
４５１      ソケット端
３１７      貫通開口部
３２２      突起
３２３      切欠き部
４６０，４６１      軸方向溝
４７０      ピン
５８０      穴
５８１      不連続部
５８３      限界停止部
【図１ａ】
2008089180.tif 000003
【図１ｂ】
2008089180.tif 000004
【図２】
2008089180.tif 000005
【図３】
2008089180.tif 000006
【図４ａ】
2008089180.tif 000007
【図４ｂ】
2008089180.tif 000008
【図４ｃ】
2008089180.tif 000009
【図４ｄ】
2008089180.tif 000010
【図５】
2008089180.tif 000011
【図６ａ】
2008089180.tif 000012
【図６ｂ】
2008089180.tif 000013
【図６ｃ】
2008089180.tif 000014
【図７ａ】
2008089180.tif 000015
【図７ｂ】
2008089180.tif 000016
【図７ｃ】
2008089180.tif 000017
【外国語明細書】
2008089180.tif 000018
2008089180.tif 000019
2008089180.tif 000020
2008089180.tif 000021
2008089180.tif 000022
2008089180.tif 000023
2008089180.tif 000024
2008089180.tif 000025
2008089180.tif 000026
2008089180.tif 000027
2008089180.tif 000028
2008089180.tif 000029
2008089180.tif 000030
2008089180.tif 000031
2008089180.tif 000032
2008089180.tif 000033
2008089180.tif 000034
2008089180.tif 000035
2008089180.tif 000036
2008089180.tif 000037
2008089180.tif 000038
2008089180.tif 000039